(57)【特許請求の範囲】
【請求項１】
レンズ鏡胴を突出させる突出位置と、前記レンズ鏡胴を退避させる退避位置との間で駆動するレンズ駆動部を有する沈胴式レンズ鏡胴と、
背面から前面にかけて上面に対して角度４５度の傾斜面を成すように側面に形成される第１接合面と、前記第１接合面に穿設されるとともに前記沈胴式レンズ鏡胴を挿通する大きさを有する第１円形開口部と、を有した防水式主筐体と、
前面から背面にかけて上面に対して角度４５度の傾斜面を成すように一方の側面に形成される第２接合面と、前記第２接合面に穿設されるとともに前記沈胴式レンズ鏡胴を挿通する大きさを有する第２円形開口部と、前記沈胴式レンズ鏡胴の対物レンズに対向する他方の側面に設けられた防水レンズと、を有する防水式副筐体と、
前記防水式主筐体と前記防水式副筐体とを、前記第１接合面と前記第２接合面との間で１８０度の角度分で回動自在かつシール状態にする回動シール手段と、
前記回動シール手段を介して前記防水式主筐体と前記防水式副筐体とが相対的に１８０度回動されることで、前記防水式主筐体の長手方向に対して前記防水式副筐体の長手方向が直交する第１状態になったこと及び前記防水式主筐体の長手方向と前記防水式副筐体の長手方向とが一致する第２状態になったことを検出する検出手段と、
前記検出手段に接続されるとともに前記レンズ駆動部の駆動制御を行う制御手段と、を備えた防水式光学装置であって、
前記制御手段は、前記検出手段により前記第２状態から前記第１状態に操作されたことが検出されると、当該検出に遅れて、前記レンズ鏡胴を前記退避位置から前記突出位置に駆動制御し、
前記第１状態から前記第２状態に操作されたことが検出されると、前記レンズ鏡胴を前記突出位置から前記退避位置に即座に駆動制御することを特徴とする防水式光学装置。
【請求項２】
前記制御手段に接続されるとともに装置全体の電源のオン・オフを行う電源スイッチをさらに備え、
前記制御手段は、前記検出手段により前記第２状態から前記第１状態に操作されたことが検出されると、前記電源スイッチをオンにするとともに、前記第１状態から前記第２状態に操作されたことが検出されると、前記電源スイッチをオフにすることを特徴とする請求項１に記載の防水式光学装置。
【請求項３】
前記回動シール手段は、
前記第２円形開口部の縁部から外側に向かう外壁部を形成し、前記第１円形開口部の縁部から内側に向かう内壁部を形成し、
前記外壁部と前記内壁部との間に無端シール部材を介在させるように、前記無端シール部材を前記外壁部または前記内壁部に固定し、
前記外壁部を前記内壁部に挿通して前記無端シール部材によるシール状態を維持し、
前記第２円形開口部の縁部の内側の面に当接する鍔部および切欠き部を形成した円形ブラケット部材を前記第２円形開口部に挿通し、
前記円形ブラケット部材の前記切欠き部を前記第１円形開口部に形成される形状部に嵌合させることで回り止めを行い、前記第１円形開口部の近傍に配置される略Ｃ形状の固定部材を用いて前記円形ブラケット部材を固定し、
前記第１円形開口部の内周面の対称位置に形成された１対のストッパー部に対して前記第２円形開口部に形成された突起部が当接することで１８０度の角度分で回動自在となるように形成されることを特徴とする請求項１又は２に記載の防水式光学装置。
【請求項４】
前記回動シール手段は、さらに前記第１接合面と前記第２接合面の間に位置する無端リップシール部材を備え、前記無端リップシール部材を前記第１接合面または前記第２接合面に固定したことを特徴とする請求項３に記載の防水式光学装置。
【請求項５】
前記防水式主筐体の前記背面から前記第１接合面にかけてシール状態で着脱可能に設けられる背面蓋部材を備え、前記回動シール手段を前記第１円形開口部の内側から取り付け可能にしたことを特徴とする請求項４に記載の防水式光学装置。
【請求項６】
前記背面蓋部材は、弾性素材から構成され、係合面に対して垂直な面による断面形状が溝部を有する略凹形状に形成された蓋用無端シール部材を縁部に備え、前記防水式主筐体の一方の係合面に、前記蓋用無端シール部材を収容する収容溝部が連続して形成されることで二重のシール機能が確保されることを特徴とする請求項５に記載の防水式光学装置。
【請求項７】
前記第１接合面と前記第２接合面は、同一直径の円形面であり、前記防水式副筐体の横断面形状は前記円形面の前記第２接合面から連続形成される楕円形状であり、
前記防水式主筐体の横断面形状は前記円形面の前記第１接合面から次第に矩形形状に近くなるように連続形成されることを特徴とする請求項１に記載の防水式光学装置。
【請求項８】
前記防水式主筐体は前記第１状態において水平面上で自立可能な形状を有することを特徴とする請求項１に記載の防水式光学装置。
【請求項９】
前記防水式主筐体は内蔵される電池及び記憶媒体を開放面を介して交換可能にするためにシール状態で回動可能に設けられる回動蓋部材を備え、
前記回動蓋部材は、前記開口部に対して開閉自在かつ係止可能にする開閉スライド機構を介して設けられる蓋組立体を備え、
前記開閉スライド機構は、
前記開口部の一端の近傍に設けられる蝶番部材と、
前記蝶番部材により前記開口部の他端に向けてスライド可能に案内されるとともに、前記防水式主筐体に対して係止可能に設けられる蓋本体と、を備え、
前記蓋本体に対して、
弾性材料から構成され、平坦部とそれに続く傾斜部を形成したシール形状部材と、
剛性材料から構成され、前記シール形状部材の前記平坦部の下面に設けられる支持部材と、
剛性材料から構成され、前記シール形状部材の前記平坦部の上面に設けられるスペーサ部材とを積層させて固定し、
前記蓋組立体を回動させて前記開口部を閉塞するときに、前記シール形状部材の前記傾斜部が前記開口部の内周面と密着されることでシール機能が確保されることを特徴とする請求項１乃至８のいずれか１項に記載の防水式光学装置。
【請求項１０】
前記無端シール部材、前記無端リップシール部材及び前記蓋用無端シール部材は、天然ゴム、化学合成ゴム、高分子樹脂素材、シリコン系ゴム、エラストマ―、テフロン（登録商標）系ゴム、フッ素のうちの少なくともいずれかの素材から形成されることを特徴とする請求項６に記載の防水式光学装置。
【請求項１１】
前記無端シール部材及び前記無端リップシール部材には、表面に潤滑処理または撥水処理が施されることを特徴とする請求項１０に記載の防水式光学装置。
【請求項１２】
前記シール形状部材は、天然ゴム、化学合成ゴム、高分子樹脂素材、シリコン系ゴム、エラストマ―、テフロン（登録商標）系ゴム、フッ素のうちの少なくともいずれかの素材から形成されることを特徴とする請求項９に記載の防水式光学装置。
【請求項１３】
前記防水式光学装置は撮像装置であり、前記防水式主筐体の前記背面において液晶表示面を覆う光透過性の表示面を形成したことを特徴とする請求項１乃至１２のいずれか１項に記載の防水式光学装置。
【請求項１４】
前記検出手段は、
前記第２接合面側に設けられたアクチュエータと、
前記アクチュエータにより通電がオン・オフされるように前記第２接合面側において対称位置に固定される第１センサ及び第２センサと、
を備えることを特徴とする請求項１に記載の防水式光学装置。
【請求項１５】
前記外壁部を係止状態及び非係止状態にするように前記制御手段に接続される電磁ソレノイドをさらに備え、
前記検出手段は、
前記第２接合面側に設けられたアクチュエータと、
前記アクチュエータにより通電がオン・オフされるように前記第２接合面側において対称位置に固定される第１センサ及び第２センサと、を備え、
前記アクチュエータは、
前記第１センサ及び第２センサの通電のオン・オフを短時間行う小アクチュエータと、
前記第１センサ及び第２センサの通電のオン・オフを長時間行う大アクチュエータとを有し、
前記第２状態において、前記第１センサは前記小アクチュエータで通電がオンにされ、前記第２センサは前記大アクチュエータで通電がオンにされ、かつ前記電磁ソレノイドは前記外壁部を前記非係止状態に維持し、前記レンズ鏡胴を前記退避位置に位置させ、
前記第１状態において、前記第１センサは前記大アクチュエータで通電がオンにされ、前記第２センサは前記小アクチュエータで通電がオンにされ、かつ前記電磁ソレノイドは前記外壁部を前記係止状態に維持し、前記レンズ鏡胴を前記突出位置に位置させることを特徴とする請求項３に記載の防水式光学装置。
【請求項１６】
レンズ鏡胴を突出させる突出位置と、前記レンズ鏡胴を退避させる退避位置との間で駆動するレンズ駆動部を有する沈胴式レンズ鏡胴と、
背面から前面にかけて上面に対して角度４５度の傾斜面を成すように側面に形成される第１接合面と、前記第１接合面に穿設されるとともに前記沈胴式レンズ鏡胴を挿通する大きさを有する第１円形開口部と、を有した防水式主筐体と、
前面から背面にかけて上面に対して角度４５度の傾斜面を成すように一方の側面に形成される第２接合面と、前記第２接合面に穿設されるとともに前記沈胴式レンズ鏡胴を挿通する大きさを有する第２円形開口部と、前記沈胴式レンズ鏡胴の対物レンズに対向する他方の側面に設けられた防水レンズと、を有する防水式副筐体と、
前記防水式主筐体と前記防水式副筐体とを、前記第１接合面と前記第２接合面との間で１８０度の角度分で回動自在かつシール状態にする回動シール手段と、
前記回動シール手段を介して前記防水式主筐体と前記防水式副筐体とが相対的に１８０度回動されることで、前記防水式主筐体の長手方向に対して前記防水式副筐体の長手方向が直交する第１状態になったこと及び前記防水式主筐体の長手方向と前記防水式副筐体の長手方向とが一致する第２状態になったことを検出する検出手段と、
前記検出手段に接続されるとともに前記レンズ駆動部の駆動制御を行う制御手段と、を備えた防水式光学装置の制御方法であって、
前記制御手段は、前記検出手段により前記第２状態から前記第１状態に操作されたことが検出されると、当該検出に遅れて、前記レンズ鏡胴を前記退避位置から前記突出位置に駆動制御する工程と、
前記第１状態から前記第２状態に操作されたことが検出されると、前記レンズ鏡胴を前記突出位置から前記退避位置に即座に駆動制御する工程と、を備えることを特徴とする防水式光学装置の制御方法。
【請求項１７】
前記防水式光学装置は、前記第２接合面側を係止状態及び非係止状態にするように前記制御手段に接続される電磁ソレノイドをさらに備え、
前記検出手段は、
前記第２接合面側に設けられたアクチュエータと、
前記アクチュエータにより通電がオン・オフされるように前記第２接合面側において対象位置に固定される第１センサ及び第２センサと、を備え、
前記アクチュエータは、
前記第１センサ及び前記第２センサの通電のオン・オフを短時間行う小アクチュエータと、
前記第１センサ及び前記第２センサの通電のオン・オフを長時間行う大アクチュエータとを有し、
前記第２状態において、前記第１センサは前記小アクチュエータで通電がオンにされ、前記第２センサは前記大アクチュエータで通電がオンにされ、かつ前記電磁ソレノイドは前記第２接合面側を前記非係止状態に維持し、前記レンズ鏡胴を前記退避位置に位置させ、
前記第１状態において、前記第１センサは前記大アクチュエータで通電がオンにされ、前記第２センサは前記小アクチュエータで通電がオンにされ、かつ前記電磁ソレノイドは前記第２接合面側を前記係止状態に維持し、前記レンズ鏡胴を前記突出位置に位置させることを特徴とする請求項１６に記載の防水式光学装置の制御方法。
【発明の詳細な説明】
【技術分野】
【０００１】
本発明は、防水式電子機器及びその制御方法に関する。
【背景技術】
【０００２】
光学装置として水中撮影専用の水中撮影用カメラが実用化されている。このような水中撮影用カメラは高価であることから、通常のデジタルカメラ、あるいはデジタルビデオカメラを、水中撮影用としても使用できるように専用設計された防水ケースが機種別に実用化されている。このように専用設計された防水ケースを用いることで本格的な水中撮影が可能となる。
【０００３】
これらの防水ケースによれば、指定の光学装置のレンズ部を平面ガラス面を介して外部に露出させる使用位置に装填したときに、光学装置の位置決め状態を確保するとともに、操作部を防水ケースの外部から押圧操作する押圧手段が設けられている。
【０００４】
また、防水ケースの最小面に対して直交する方向に開閉自在に設けられた蓋体を、ヒンジにより開閉自在に設けた防水ケースも提案されている。（特許文献１）
一方、デジタルカメラ市場を見ると、他社との差別化のために日常生活防水機能を備えた機種が販売されており、人気を集めている。また、近年になりＪＩＳ規格の７級程度の防水性能を備え、水深１ｍ程度の水中撮影を可能にした本格的な防水式デジタルカメラも国内カメラメーカーから販売されている。
【０００５】
さらに、水中使用時において、沈胴レンズ鏡胴を防水状態で覆うように構成されたレンズカバーをネジを介して固定して使用する防水式デジタルカメラについても提案されている。（特許文献２）
【特許文献１】特開２００５−８４６５８号公報。
【特許文献２】特開２００６−１０６３４０号公報。
【発明の開示】
【発明が解決しようとする課題】
【０００６】
上記のようにレンズカバーをネジを介して固定して使用する防水式デジタルカメラによれば、レンズカバーの取り付け作業が面倒であり、また未使用時にレンズカバーが邪魔になりこれを紛失する虞もある。
【０００７】
そこで、例えば沈胴式レンズ鏡胴と同時にレンズカバーを前後方向に駆動するシール構造を設ければ良いが、この場合にはシール構造の耐久性に問題が残ることになる。また、沈胴式レンズ鏡胴は、通常内蔵される小型モータによりレンズ鏡胴を突出させる突出位置と、レンズ鏡胴を退避させる退避位置との間で駆動されるので、シール構造に対する負荷が過剰になると正常な出し入れができなくなる問題がある。
【０００８】
したがって、本発明は上記の問題点に鑑みて成されたものであり、防水式主筐体と防水式副筐体とを傾斜角度４５度の各接合面に設けられる回動シール手段を介して合体する構成にすることで、防水性の耐久性に優れ、かつ未使用時に嵩張らないようにできる防水式光学装置及びその制御方法の提供を目的としている。
【課題を解決するための手段】
【０００９】
上述した課題を解決し、目的を達成するために、本発明によれば、レンズ鏡胴を突出させる突出位置と、前記レンズ鏡胴を退避させる退避位置との間で駆動するレンズ駆動部１０６を有する沈胴式レンズ鏡胴１２と、背面から前面にかけて上面に対して角度４５度の傾斜面を成すように側面に形成される第１接合面７と、前記第１接合面に穿設されるとともに前記沈胴式レンズ鏡胴を挿通する大きさを有する第１円形開口部７ａとを有した防水式主筐体２と、前面から背面にかけて上面に対して角度４５度の傾斜面を成すように一方の側面に形成される第２接合面８と、前記第２接合面に穿設されるとともに前記沈胴式レンズ鏡胴を挿通する大きさを有する第２円形開口部８ａと、前記沈胴式レンズ鏡胴の対物レンズに対向する他方の側面に設けられた防水レンズ４と、を有する防水式副筐体３と、前記防水式主筐体と前記防水式副筐体とを、前記第１接合面と前記第２接合面との間で１８０度の角度分で回動自在かつシール状態にする回動シール手段２０と、前記回動シール手段を介して前記防水式主筐体と前記防水式副筐体とが相対的に１８０度回動されることで、前記防水式主筐体の長手方向に対して前記防水式副筐体の長手方向が直交する第１状態になったこと及び前記防水式主筐体の長手方向と前記防水式副筐体の長手方向とが一致する第２状態になったことを検出する検出手段１０１、１０２、１０５と、前記検出手段に接続されるとともに前記レンズ駆動部の駆動制御を行う制御手段１００とを備えた防水式光学装置であって、前記制御手段は、前記検出手段により前記第２状態から前記第１状態に操作されたことが検出されると、当該検出に遅れて、前記レンズ鏡胴を前記退避位置から前記突出位置に駆動制御し、前記第１状態から前記第２状態に操作されたことが検出されると、即座に前記レンズ鏡胴を前記突出位置から前記退避位置に駆動制御することを特徴としている。
また、前記制御手段に接続されるとともに装置全体の電源のオン・オフを行う電源スイッチをさらに備え、前記制御手段は、前記検出手段により前記第２状態から前記第１状態に操作されたことが検出されると、前記電源スイッチをオンにするとともに、前記第１状態から前記第２状態に操作されたことが検出されると、前記電源スイッチをオフにすることを特徴としている。
【００１０】
また、前記回動シール手段は、前記第２円形開口部の縁部から外側に向かう外壁部２２を形成し、前記第１円形開口部の縁部から内側に向かう内壁部２１を形成し、前記外壁部と前記内壁部との間に無端シール部材２３を介在させるように、前記無端シール部材を前記外壁部または前記内壁部に固定し、前記外壁部を前記内壁部に挿通して前記無端シール部材によるシール状態を維持し、前記第２円形開口部の縁部の内側の面に当接する鍔部２５ｃおよび切欠き部２５ａを形成した円形ブラケット部材２５を前記第２円形開口部に挿通し、前記円形ブラケット部材の前記切欠き部を前記第１円形開口部に形成される形状部２６に嵌合させることで回り止めを行い、前記第１円形開口部の近傍に配置される略Ｃ形状の固定部材２７を用いて前記円形ブラケット部材を固定し、前記第１円形開口部の内周面の対称位置に形成された１対のストッパー部３１、３２に対して前記第２円形開口部に形成された突起部３９が当接することで１８０度の角度分で回動自在となるように形成されることを特徴としている。
【００１１】
また、前記回動シール手段は、さらに前記第１接合面と前記第２接合面の間に位置する無端リップシール部材２４を備え、前記無端リップシール部材を前記第１接合面または前記第２接合面に固定したことを特徴としている。
【００１２】
また、前記防水式主筐体の前記背面から前記第１接合面にかけてシール状態で着脱可能に設けられる背面蓋部材を備え、前記回動シール手段を前記第１円形開口部の内側から取り付け可能にしたことを特徴としている。
【００１３】
また、前記背面蓋部材は、弾性素材から構成され、係合面に対して垂直な面による断面形状が溝部を有する略凹形状に形成された蓋用無端シール部材を縁部に備え、前記防水式主筐体の一方の係合面に、前記蓋用無端シール部材を収容する収容溝部が連続して形成されることで二重のシール機能が確保されることを特徴としている。
【００１４】
また、前記第１接合面と前記第２接合面は、同一直径の円形面であり、前記防水式副筐体の横断面形状は前記円形面の前記第２接合面から連続形成される楕円形状であり、前記防水式主筐体の横断面形状は前記円形面の前記第１接合面から次第に矩形形状に近くなるように連続形成されることを特徴としている。
【００１５】
また、前記防水式主筐体は前記第２状態において水平面上で自立可能な形状を有することを特徴としている。
【００１６】
また、前記防水式主筐体は内蔵される電池及び記憶媒体を開放面を介して交換可能にするためにシール状態で回動可能に設けられる回動蓋部材を備え、前記回動蓋部材は、前記開口部に対して開閉自在かつ係止可能にする開閉スライド機構を介して設けられる蓋組立体を備え、前記開閉スライド機構は、前記開口部の一端の近傍に設けられる蝶番部材と、前記蝶番部材により前記開口部の他端に向けてスライド可能に案内されるとともに、前記防水式主筐体に対して係止可能に設けられる蓋本体と、を備え、前記蓋本体に対して、弾性材料から構成され、平坦部とそれに続く傾斜部を形成したシール形状部材と、剛性材料から構成され、前記シール形状部材の前記平坦部の下面に設けられる支持部材と、剛性材料から構成され、前記シール形状部材の前記平坦部の上面に設けられるスペーサ部材とを積層させて固定し、前記蓋組立体を回動させて前記開口部を閉塞するときに、前記シール形状部材の前記傾斜部が前記開口部の内周面と密着されることでシール機能が確保されることを特徴としている。
【００１７】
また、前記無端シール部材、前記無端リップシール部材、前記蓋用無端シール部材及び前記シール形状部材は、天然ゴム、化学合成ゴム、高分子樹脂素材、シリコン系ゴム、エラストマ―、テフロン（登録商標）系ゴム、フッ素のうちの少なくともいずれかの素材から形成されることを特徴としている。
また、前記無端シール部材及び前記無端リップシール部材には、表面に潤滑処理または撥水処理が施されることを特徴としている。
【００１８】
また、前記防水式光学装置は撮像装置であり、前記防水式主筐体の前記背面において液晶表示面を覆う光透過性の表示面を形成したことを特徴としている。
【００１９】
また、前記検出手段は、前記第２接合面側に設けられたアクチュエータと、前記アクチュエータにより通電がオン・オフされるように前記第２接合面側において対称位置に固定される第１センサ及び第２センサと、を備えることを特徴としている。
【００２０】
また、前記外壁部を係止状態及び非係止状態にするように前記制御手段に接続される電磁ソレノイドをさらに備え、前記検出手段は、前記第２接合面側に設けられたアクチュエータと、前記アクチュエータにより通電がオン・オフされるように前記第２接合面側において対称位置に固定される第１センサ及び第２センサと、を備え、前記アクチュエータは、前記第１センサ及び第２センサの通電のオン・オフを短時間行う小アクチュエータと、前記第１センサ及び第２センサの通電のオン・オフを長時間行う大アクチュエータとを有し、前記第２状態において、前記第１センサは前記小アクチュエータで通電がオンにされ、前記第２センサは前記大アクチュエータで通電がオンにされ、かつ前記電磁ソレノイドは前記外壁部を前記非係止状態に維持し、前記レンズ鏡胴を前記退避位置に位置させ、前記第１状態において、前記第１センサは前記大アクチュエータで通電がオンにされ、前記第２センサは前記小アクチュエータで通電がオンにされ、かつ前記電磁ソレノイドは前記外壁部を前記係止状態に維持し、前記レンズ鏡胴を前記突出位置に位置させることを特徴としている。
【００２１】
また、レンズ鏡胴を突出させる突出位置と、前記レンズ鏡胴を退避させる退避位置との間で駆動するレンズ駆動部を有する沈胴式レンズ鏡胴と、背面から前面にかけて上面に対して角度４５度の傾斜面を成すように側面に形成される第１接合面と、前記第１接合面に穿設されるとともに前記沈胴式レンズ鏡胴を挿通する大きさを有する第１円形開口部と、を有した防水式主筐体と、前面から背面にかけて上面に対して角度４５度の傾斜面を成すように一方の側面に形成される第２接合面と、前記第２接合面に穿設されるとともに前記沈胴式レンズ鏡胴を挿通する大きさを有する第２円形開口部と、前記沈胴式レンズ鏡胴の対物レンズに対向する他方の側面に設けられた防水レンズと、を有する防水式副筐体と、前記防水式主筐体と前記防水式副筐体とを、前記第１接合面と前記第２接合面との間で１８０度の角度分で回動自在かつシール状態にする回動シール手段と、前記回動シール手段を介して前記防水式主筐体と前記防水式副筐体とが相対的に１８０度回動されることで、前記防水式主筐体の長手方向に対して前記防水式副筐体の長手方向が直交する第１状態になったこと及び前記防水式主筐体の長手方向と前記防水式副筐体の長手方向とが一致する第２状態になったことを検出する検出手段と、前記検出手段に接続されるとともに前記レンズ駆動部の駆動制御を行う制御手段と、を備えた防水式光学装置の制御方法であって、前記制御手段は、前記検出手段により前記第２状態から前記第１状態に操作されたことが検出されると、当該検出に遅れて、前記レンズ鏡胴を前記退避位置から前記突出位置に駆動制御する工程と、前記第１状態から前記第２状態に操作されたことが検出されると、即座に前記レンズ鏡胴を前記突出位置から前記退避位置に駆動制御する工程とを備えることを特徴としている。
そして、前記防水式光学装置は、前記第２接合面側を係止状態及び非係止状態にするように前記制御手段に接続される電磁ソレノイドをさらに備え、前記検出手段は、前記第２接合面側に設けられたアクチュエータと、前記アクチュエータにより通電がオン・オフされるように前記第２接合面側において対象位置に固定される第１センサ及び第２センサと、を備え、前記アクチュエータは、前記第１センサ及び前記第２センサの通電のオン・オフを短時間行う小アクチュエータと、前記第１センサ及び前記第２センサの通電のオン・オフを長時間行う大アクチュエータとを有し、前記第２状態において、前記第１センサは前記小アクチュエータで通電がオンにされ、前記第２センサは前記大アクチュエータで通電がオンにされ、かつ前記電磁ソレノイドは前記第２接合面側を前記非係止状態に維持し、前記レンズ鏡胴を前記退避位置に位置させ、前記第１状態において、前記第１センサは前記大アクチュエータで通電がオンにされ、前記第２センサは前記小アクチュエータで通電がオンにされ、かつ前記電磁ソレノイドは前記第２接合面側を前記係止状態に維持し、前記レンズ鏡胴を前記突出位置に位置させることを特徴としている。
【発明の効果】
【００２２】
本発明によれば、防水式主筐体と防水式副筐体とを傾斜角度４５度の各接合面に設けられる回動シール手段を介して合体する構成にすることで、防水式主筐体と防水式副筐体とを手動によって相対的に角度１８０で回動操作して使用可能（第１状態）にできることから、防水性の耐久性に優れ、かつ未使用時に一直線状（第２状態）にして嵩張らないようにできる防水式光学装置及びその制御方法を提供することができる。
【発明を実施するための最良の形態】
【００２３】
以下に本発明の好適な各実施形態について、添付図面を参照して説明する。
【００２４】
ここで、以下の実施形態では防水式光学装置として、撮影用レンズ部が沈胴するタイプであって、撮影レンズが光学ズーム系を備えた円筒形状の沈胴式レンズ鏡胴を備えたデジタルカメラについて主に述べる。しかし、このように構成されるデジタルカメラに限定されず、撮影用レンズ部が沈胴するタイプの光学ズーム系を備えた円筒形状の沈胴式レンズ鏡胴を備えたデジタルビデオカメラにも適用可能である。
【００２５】
さらに、防水式光学装置として、特に修理のために筐体から蓋体を取り外し、筐体内部に固定された本体装置へのアクセスを可能に構成する場合に特に望ましい構成が提供されることになる。
【００２６】
また、防水式電子機器としては、各種ゲーム機、携帯電話などが挙げられるが、これらの機器の他にも適用可能である。特に、上記の防水式光学装置と同様に、修理のために筐体から蓋体を取り外し、筐体の内部に固定された本体装置へのアクセスを可能にする場合に望ましいことになる。さらに、製造工程を考えると、組み付け工程が容易となるので非常に有効な構成が提供されることになる。
【００２７】
また、防水式光学装置または防水式電子機器において、電池交換を行ったり、記憶媒体の交換を行ったり、外部接続端子と外部装置との間でコネクタ接続を行うために、筐体に開口部を形成し、この開口部を防水状態で開閉自在にするための回動蓋体を備える場合にも、有効な構成が提供されることとなる。
【００２８】
すなわち、長期間に渡り防水性能を維持でき、かつまた繰り返しの開閉に十分に耐えることのできる二重のシール機能が確保される構成が提供されることとなる。
【００２９】
以下に、防水式光学装置として、撮影用レンズ部が沈胴するタイプの光学ズーム系を備えた円筒形状の沈胴式レンズ鏡胴を備えた防水式デジタルカメラ１で代表して添付図面を参照して詳細に述べる。
【００３０】
図１(ａ)は、沈胴レンズ鏡胴１２を備えた防水式デジタルカメラ１が未使用状態の第１状態にある様子を図示した外観斜視図、図１（ｂ）は、この防水式デジタルカメラ１が使用状態の第２状態にある様子を図示した外観斜視図である。
【００３１】
図１(ａ)、(ｂ)において、この防水式デジタルカメラ１（以下、デジタルカメラとも呼ぶ）は、樹脂材料を用いて射出成形される防水式主筐体２と、同じく樹脂材料を用いて準備される防水式副筐体３とを角度４５度の傾斜面を成すように形成される第２接合面８と、第１接合面７との間で合体させて構成されている。第１接合面７には、図中において破線で図示した第１円形開口部７ａが穿設されるとともに、第２接合面８には同じく破線図示の第１円形開口部７ａよりも小さい第２円形開口部８ａが穿設されている。
【００３２】
第１接合面７と第２接合面８は同一直径の円形面であり、防水式副筐体２の横断面形状は円形面の第２接合面８から図示のように連続形成される楕円形状となっている。また防水式主筐体２の横断面形状は円形面の第１接合面７から次第に矩形形状に近くなるように連続形成されることで使い勝手を向上させている。尚、各横断面形状は工業デザインに基づき任意に設定可能であり、正方形、完全楕円形であっても良い。
【００３３】
この防水式主筐体２の背面には防水式主筐体２の背面から第１接合面７にかけてシール状態で着脱可能に設けられる背面蓋部材１０が設けられており、この背面蓋部材１０を取り外すことで、後述する回動シール手段を第１円形開口部７ａの内側から取り付けできるようにしている。また、この背面蓋部材１０を取り外した状態で、防水式主筐体２に内蔵されるべき全ての部品にアクセスできるようにして各部品の固定乃至交換作業ができるようにしている。
【００３４】
この防水式主筐体２の底面には、図中破線で図示した回動蓋部材６が設けられており、防水式主筐体２に内蔵される電池及び記憶媒体を交換可能にするため、及びパソコンやＡＶ機器にコード接続するときにこの回動蓋部材６を開けるように構成されている。また、水中撮影を含む使用時には後述するように完全シール状態となるようにしている。
【００３５】
防水式副筐体３は、沈胴式レンズ鏡胴の対物レンズに対向する防水レンズ４を他方の側面に設けている。さらに、防水式副筐体３の外周面の図示の位置にシャッターボタン５を設けている。または、破線図示の位置にシャッターボタン５を設けて、図１(ｂ)に図示の状態で使用可能にしている。
【００３６】
第１接合面７及び第２接合面８の間に設けられる後述の回動シール手段を介して防水式主筐体と防水式副筐体とが相対的に１８０度回動されると、図１(ｂ)に図示したように防水式主筐体の長手方向に対して防水式副筐体３の長手方向が直交する第１状態になるとともに、シャッターボタン５を押すために最適な位置となるように構成されている。
【００３７】
すなわち、使用者は図１(ｂ)に図示の状態で防水式デジタルカメラ１を把持または水平面上に載置して使用する。この使用後に、図１(ａ)に図示のように防水式主筐体２の長手方向と防水式副筐体３の長手方向とが一致する第２状態に戻すことで嵩張らないようにしてカバン等に収納できるようにしている。このとき、電源スイッチのオンオフが自動的に行われる場合と、電源スイッチのオンオフを個別に行う場合とがある。
【００３８】
また、図１(ｂ)の第１状態に例えば２分間以上放置されると電源スイッチが自動的にオフされて内蔵バッテリーの消耗を防止する機能が備わっている。
【００３９】
図２(ａ)は、背面蓋部材１０が取り外されることを同時に図示した図１(ａ)の平面図であり、図２(ｂ)は、図１(ｂ)の平面図である。
【００４０】
本図において、既に説明済みの構成または部品については同様の符号を附して説明を割愛すると、防水式主筐体２はその背面２ｒから前面２ｆにかけて上面２ｔに対して角度４５度の傾斜面を成すように第１接合面７が形成されている。また、この第１接合面７に穿設される第１円形開口部７ａは図示のように沈胴式レンズ鏡胴１２（破線図示）を挿通する大きさの開口を形成している。
【００４１】
また、防水式副筐体３は、前面２ｆから背面２ｒにかけて上面２ｔに対して角度４５度の傾斜面を成すように第２接合面８を形成しており、この第２接合面８に沈胴式レンズ鏡胴１２を挿通する大きさを有する第２円形開口部８ａが穿設されている。
【００４２】
この沈胴式レンズ鏡胴１２の対物レンズは、図２(ｂ)に図示した第２状態において防水式副筐体３の防水レンズ４に対向するように構成されている。
【００４３】
沈胴式レンズ鏡胴１２は、実装基板１５（破線図示）上において図示のように固定されており、後述するようにレンズ鏡胴１２を退避させる退避位置と突起位置の間で駆動するレンズ駆動部を設けている。この実装基板１５には背面蓋部材１０の表示面１０ａに対向した位置に液晶表示装置１３が実装されている。また、シール状態で設けられる外部操作部１４のスイッチ類も実装基板１５に実装されている。
【００４４】
背面蓋部材１０は、図中の黒矢印方向にセットされる。この背面蓋部材１０を外すと大きく開口面が現れるので、上記の第１接合面７に対して内側からアクセスできる。ここで、各筐体２、３、背面蓋部材１０の上には、上記の表示面を除き金属板製の化粧パネル（不図示）をネジ止めにより着脱可能に設けられており、外観を向上させるとともに耐磨耗性を維持するように構成されている。
【００４５】
次に、図３(ａ)は図２(ａ)のＸ-Ｘ線矢視断面図、図３(ｂ)は回動シール手段２０の要部破断図である。
【００４６】
図３(ａ)において、既に説明済みの構成または部品については同様の符号を附して説明を割愛すると、防水沈胴式レンズ鏡胴１２には、対物レンズ１２ａと、電子シャッター１１２とＣＭＯＳ、ＣＣＤ等の撮像素子１１１が内蔵されている。防水沈胴式レンズ鏡胴１２は、レンズ駆動部１０６に連動及び駆動されるように構成されており、上記のように突出位置と図示の退避位置に駆動するように構成されている。
【００４７】
一方、上記の防水レンズ４はＯリング１６によりその縁部全体が水密状態にされて固定部材１７をネジ止めすることで防水状態に維持されている。
【００４８】
回動シール手段２０は、第２円形開口部８ａの縁部から外側に向かう外壁部２２を形成しており、この外壁部２２に０リングを含む無端シール部材２３を固定する溝部を設けることで無端シール部材２３を図示のように固定している。また、第１円形開口部７ａの縁部から内側に向かう内壁部２１を形成しており外壁部２２と内壁部２１との間で無端シール部材２３が適度に弾性変形可能となるように介在させることで無端シール部材によるシール状態を維持するとともに回動時における抵抗を極力少なくできるように構成されている。
【００４９】
次に、図３(ｂ)をさらに参照して、第１接合面７と第２接合面８の間に位置する無端リップシール部材２４を設けるために、無端リップシール部材２４を第１接合面の溝部に内蔵させて無端リップシール部材２４が適度に弾性変形して無端シール部材によるシール状態を二重に維持するように構成されている。この無端リップシール部材２４を第２接合面に設けても良い。
【００５０】
次に、図４(ａ)は回動シール手段２０の別構成の断面図、(ｂ)は回動シール手段２０の別構成の断面図である。先ず、図４(ａ)において、説明済みの構成または部品については同様の符号を附して説明を割愛すると、無端リップシール２４は第２接合面８の円形溝部に内蔵されている。また、第２円形開口部８ａの縁部の内側の面に当接する鍔部２５ｃを形成した円形ブラケット部材２５を固定部材２７を用いて固定することで、外壁部２２が脱落しないように保持するとともに、防水式副筐体３が１８０度の角度分回動できるように構成されている。
【００５１】
第２接合面８には磁気センサを構成するアクチュエータ１０５が埋設されている。また、第１接合面７には、このアクチュエータ１０５でオン・オフされる第１センサ１０１と第２センサ１０２とが第１接合面７の対称位置に夫々固定されている。
【００５２】
以上の構成において、図４(ｂ)に図示のように副筐体３が第１状態に回動されるとアクチュエータ１０５は第２センサ１０２に対向する位置となるのでこの状態の検出が可能となる。尚、センサとして磁気センサの他に光学式センサなどがある。また、機械接点式センサを用いる場合には防水上の関係から円形ブラケット部材２５の開口を通過するアクチュエータとする必要がある。
【００５３】
次に、図５は図３のＸ-Ｘ線矢視図である。この図５と回動シール手段２０の分解図である図６をさらに参照して、円形ブラケット部材２５は第２円形開口部８ａの縁部の内側の面に当接する鍔部２５ｃおよび切欠き部２５ａを形成している。この円形ブラケット部材２５を第２円形開口部８ａに挿通し、この円形ブラケット部材２５の切欠き部２５ａを第１円形開口部に形成される形状部２６に嵌合させることで周り止めを行い、第１円形開口部の近傍に配置される略Ｃ形状の固定部材２７を３本のネジ３０用いて円形ブラケットと固定している。このように構成することで、特に４５度の先端側の限られた部位における固定を行えるようにしている。
【００５４】
また、第１円形開口部の内周面の対称位置に形成された１対のストッパー部３１、３２に対して第２円形開口部に形成された突起部３９が当接することで１８０度の角度分で回動自在となるように形成されている。
【００５５】
図７（ａ）は、防水デジタルカメラ１の底面で開閉自在に設けられる回動蓋部材６が係止された状態を図示した底面図、図７（ｂ）は、回動蓋部材６の係止が解除された状態を図示した底面図、図７（ｃ）は、回動蓋部材６が防水デジタルカメラ１から開かれて開口部２ｋが露出された状態を図示した図である。
【００５６】
この回動蓋部材は、本願出願人が平成１８年８月９日に特願２００６−２１７４４１号として出願した構成が採用できる。すなわち、開口部に対して開閉自在かつ係止可能にする開閉スライド機構を介して設けられる蓋組立体を備え、開閉スライド機構は、筐体の開口部の一端の近傍に設けられる蝶番部材と、蝶板部材により開口部の他端に向けてスライド可能に案内されるとともに、筐体に対して係止可能に設けられる蓋本体とから構成され、蓋本体に対して、弾性材料から構成され、平坦部とそれに続く傾斜部を形成したシール形状部材と、剛性材料から構成され、シール形状部材の平坦部の下面に設けられる支持部材と、剛性材料から構成され、シール形状部材の平坦部の上面に設けられるスペーサ部材とを積層させて固定し、蓋組立体を回動させて開口部を閉塞するときに、シール形状部材の傾斜部が開口部の内周面と密着されることでシール機能が確保されるものである。
【００５７】
具体的には図７（ａ）において、防水式主筐体２の底面壁には回動蓋部材６を図中の左方向にスライド可能にするための形状部２ａが凹状に形成されている。この形状部２ａ中に回動蓋部材６が位置しており、図示の係止状態に維持されることで、図７(ｃ)に図示する開口部２ｋを水密状態で塞ぐようにしている。この回動蓋部材６の蓋本体６２１には指先が引っかかる突起部６２１ａが一体形成されており、この突起部６２１ａを指先で図７(ｂ)に図示する矢印方向に移動できるように構成されている。
【００５８】
図７(ｃ)において、開口部２ｋ内には、小型電池１０４が極性を互い違いにしてセットされる。また、テレビに直接コード接続するＡＶ端子と、撮影画像の記憶を行う記憶媒体１２０とがさらに内蔵されている。電池の交換、外部接続端子と外部装置との間でのコネクタ接続を行うためには、図７(ｂ)に図示の状態から回動蓋部材６が回動されることで、開口部２ｋが開口される状態にされる。このため、回動蓋部材６には一片が固定される蝶番部材６２８が固定され、他片が蓋本体６２１に対してスライド機構を介して固定されるように構成されている。
【００５９】
また、開閉スライド機構により回動および係止可能に設けられた蓋本体６２１の下方にはシール体６３０が設けられている。このシール体６３０は、開口部２ｋ中に位置しており、開口部２ｋのシール状態を維持できるようにしている。
【００６０】
次に、図８(ａ)は、無端シール部材４５が主筐体２の縁部の連続凹部４０に挿入される様子を図示した横断面図、図８(ｂ)は、無端シール部材４５が挿入後に背面蓋部材１０の突起部１０ｋが潜入される様子を図示した横断面図、図８(ｃ)は、無端シール部材４５の溝部中に突起部１０ｋが潜入されてシール状態になった様子を図示した横断面図、図８(ｄ)は、シール作用を説明した横断面図である。
【００６１】
この構成は、本願出願人が平成１８年８月９日に特願２００６−２１７４４０号で出願した構成が採用できる。すなわち一面が開放された筐体と、筐体の開放面を覆う蓋体と、筐体と蓋体との間の係合面に配設される無端シール部材とを備える。この無端シール部材は、弾性素材から構成され、係合面に対して垂直な面による断面形状が溝部を有する略凹形状に形成されており、筐体及び蓋体の一方の係合面に、無端シール部材を収容する収容溝部が連続して形成され、筐体及び蓋体の他方の係合面に、無端シール部材の溝部に嵌入する突起部が連続して形成され、収容溝部内に無端シール部材が挿入されており、突起部を溝部に嵌入させることで二重のシール機能が確保されるように構成される。
【００６２】
具体的には、図８(ａ)において、無端シール部材４５を溝部を有する略凹形状に形成するために、無端シール部材４５は底部４６とこの底部４６の両側から延設される第１延設部４７と第２延設部４８とを有している。また、各第１延設部４７と第２延設部４８の先端部は上記のシール形状部材３５と同じくパーテング面にバリが発生しないように丸みを付けている。
【００６３】
以上のように準備される無端シール部材４５によれば、無端Ｏリングとの比較において防水のためのシール作用面を大きくできる。さらに、成形時のパーテング面にバリが残っても、この影響で防水性能が損なわれることがない。また、永久歪により長期間に渡り防水性能を維持できるので、例えば修理の際でも新しいものに交換する必要がなくなり、かつ繰り返しの使用にも十分に耐えることができる。第１延設部４７と第２延設部４８からは、互いの対向面に第１山部４９および第２山部５０が形成されている。
【００６４】
図８(ｄ)において、突起部１０ｋが溝部４５ａ中に嵌入されると、第１山部４９および第２山部５０を回動支点として、第１延設部４７の端部および第２延設部４８の端部が矢印方向に突起部３ｋに向けて回動される。この結果、シール機能がより高められる。ここで、第１山部４９および第２山部５０はいずれか一方を備えていれば十分となる場合もある。また、第１山部４９および第２山部５０はなくとも良く、これに代えて山部を突起部１０ｋに形成しても良い。
【００６５】
以上のように背面蓋部材１０と主筐体２の間のシール構造を構成することで、繰り返しの着脱を行えるようになるので、修理などを容易に行うことができる。
【００６６】
次に、図９は図１のデジタルカメラのブロック図である。この図９に図４を参照して、検出手段を構成するアチエータ１０５でオン・オフされる第１センサ１０１と第２センサ１０２とがインターフェース回路１０３を介して制御部１００に接続されている。
【００６７】
装置全体の電源スイッチ１５０及びバッテリ１０４も制御部１００に接続されている。またレンズ駆動部１０６のモータを駆動する通電を行うモータドライバー１０５が制御部１００に接続されている。
【００６８】
図１０(ａ)は、防水式主筐体２の長手方向と防水式副筐体３の長手方向とが一致する第２状態になった状態から直交する第１状態に手動操作されるときに実行される動作説明フローチャートである。(ｂ)は、第１状態から第２状態になるように手動操作されるときに実行される動作説明フローチャートである。
【００６９】
図１０(ａ)と図４を参照して、図４に図示のように防水式主筐体２の長手方向と防水式副筐体３の長手方向とが一致する第２状態から、ステップＳ１において防水式副筐体３が第１接合面７及び第２接合面８の間で１８０度の角度分で手動で回動操作される。すると、ステップＳ２でアクチュエータ１０５によりオン状態になっていた第１センサ１０１がオフ状態になる。
【００７０】
続いてステップＳ３でこのオフ状態が制御部１００に入力されることで、ステップＳ４において第２状態から第１状態になるように手動操作されたことが認識される。次にステップＳ５において時間経過を待ち、ステップＳ２での検出タイミングにやや遅れてステップＳ６でレンズ鏡胴１２を退避位置から突出位置に駆動するようにレンズ駆動部１０６への通電を行うことで、一連の駆動制御の処理を終了する。
【００７１】
以上のような駆動制御を行うことで、手動操作により未使用の第２状態から使用する第１状態に完全に移動された後に、レンズ鏡胴を突出位置に駆動するようにして副筐体３中でレンズ鏡胴が衝突することがないようにしている。
【００７２】
一方、図１０(ｂ)を参照して、防水式主筐体２と防水式副筐体３とが直交する第１状態から、ステップＳ７において防水式副筐体３が第１接合面７及び第２接合面８の間で１８０度の角度分で手動で回動操作されると、ステップＳ８でアクチュエータ１０５によりオン状態になっていた第２センサ１０２がオフ状態になる。続いてステップＳ９でこのオフ状態が制御部１００に入力されることで、第１状態から第２状態になるように手動操作されたことが認識される。次にステップＳ１０において即座にレンズ鏡胴１２を突出位置から退避位置に駆動するようにレンズ駆動部１０６への通電を行うことで、一連の駆動制御処理を終了する。
【００７３】
以上のような駆動制御を行うことで、第１状態から第２状態に完全に手動操作される事前に、レンズ鏡胴を退避位置に駆動するようにして副筐体３中でレンズ鏡胴が衝突することを防止するようにしている。
【００７４】
以上説明したような構成とすることで、沈胴式レンズ鏡胴１２の停止時及び往復駆動時において駆動モータに一切の負荷が及ばないようにできる。また、特に二重のシール機能が十分に確保される防水式光学装置を提供することができる。
【００７５】
図１１(ａ)から(ｃ)は、アクチュエータ１０５をオン・オフを短時間行う小アクチュエータ１０５ａと、オン・オフを長時間間行う大アクチュエータ１０５ｂとから構成し、さらに制御部に接続されることで通電制御される電磁ソレノイド１４０を設け副筐体の外壁部２２を係止状態に維持する構成を図示した模式図である。
【００７６】
本図において、既に説明済みの構成または部品については同様の符号を附して説明を割愛すると、図１１(ａ)は未使用の第２状態となっており、このとき第１センサ１０１は短いストロ−クの小アクチュエータ１０５ａでオンされている。また、第２センサ１０２はより長いストロークの大アクチュエータ１０５ｂでオンされており、電磁ソレノイド１４０は外壁部の溝部２２ｍから退避した非係止状態になっている。このとき沈胴式レンズ鏡胴１２は退避位置に位置している。
【００７７】
この状態から、実線矢印方向に回動すると図１１(ｂ)に図示したように、第１センサがオフされ、第２センサ１０２はオンになっている。さらに回動することで１８０度回動すると図１１(ｃ)に図示したように第１センサ１０１は大アクチュエータ１０５ｂでオンされ、第２センサ１０２は小アクチュエータ１０５ａでオンされる状態となる。これに前後して電磁ソレノイド１４０への通電が行われて外壁部の溝部２２ｍに入り込む係止状態になることで副筐体を不動状態にする。また、沈胴式レンズ鏡胴１２は突出位置に駆動され、さらに、電源スイッチ１５０がオンされてることで撮影可能なスタンバイ状態（第１状態）になる。また、この第１状態から第２状態にするためには、図中の破線矢印方向に回動することで図１１(ａ)に図示した状態になる。
【００７８】
以上のような純機械式構成によっても上記制御が可能となる。
【００７９】
最後に、図１２(ａ)は防水式デジタルビデオカメラを起立状態で使用する使用状態図、(ｂ)は把持して使用される使用状態図、(ｃ)は液面Ｗ上に浮く状態、(ｄ)はストラップ３００が設けられる様子を夫々図示している。
【００８０】
図１２(ａ)において、操作ボタン５は連続撮影モードに切換可能であって、この後に水平床Ｆ上に載置して連続撮影することができる。また、衣類の胸ポケットに主筐体２を入れ、防水レンズを被写体に向けて移動しつつ連続撮影するとともに、使用後に第２状態に戻して使用できることとなる。
【００８１】
また、図１２(ｂ)において、防水レンズ４の左右部位に発光ストロボを配置するように構成しても良い。さらに、浮力を十分に確保するために各筐体の内部容積を大きく設定すれば図１２(ｃ)に図示のように水面Ｗに一部が出るように浮く状態にもできる。
【００８２】
そして、図１２(ｄ)において、主筐体の側面にストラップ固定用孔部３０１、３０２を一体形成し、各孔部にストラップ３００を固定すれば、ストラップ３００を首に掛けて使用できることになり手軽に持ち歩けることになる。この他にも、種々の使用形態で用いることができることは言うまでもない。
【図面の簡単な説明】
【００８３】
【図１】(ａ)は、沈胴レンズ鏡胴１２を備えた防水式デジタルカメラ１が未使用状態の第１状態にある様子を図示した外観斜視図、（ｂ）は、この防水式デジタルカメラ１が使用状態の第２状態にある様子を図示した外観斜視図である。
【図２】(ａ)は、背面蓋部材１０が取り外されることを同時に図示した図１(ａ)の平面図であり、(ｂ)は、図１(ｂ)の平面図である。
【図３】(ａ)は、図２(ａ)のＸ-Ｘ線矢視断面図、(ｂ)は、回動シール手段２０の要部破断図である。
【図４】(ａ)は、回動シール手段２０の別構成の断面図、(ｂ)は、回動シール手段２０の別構成の断面図である。
【図５】図３のＸ-Ｘ線矢視図である。
【図６】回動シール手段２０の分解図である。
【図７】（ａ）は、防水デジタルカメラ１の底面で開閉自在に設けられる回動蓋部材６が係止された状態を図示した底面図、（ｂ）は、回動蓋部材６の係止が解除された状態を図示した底面図、（ｃ）は、回動蓋部材６が防水デジタルカメラ１から開かれて開口部２ｋが露出された状態を図示した図である。
【図８】(ａ)は、無端シール部材４５が主筐体２の縁部の連続凹部４０に挿入される様子を図示した横断面図、(ｂ)は、無端シール部材４５が挿入後に背面蓋部材１０の突起部１０ｋが潜入される様子を図示した横断面図、(ｃ)は、無端シール部材４５の溝部中に突起部１０ｋが潜入されてシール状態になった様子を図示した横断面図、(ｄ)は、シール作用を説明した横断面図である。
【図９】図１のデジタルカメラのブロック図である。
【図１０】(ａ)は、防水式主筐体２の長手方向と防水式副筐体３の長手方向とが一致する第２状態になった状態から直交する第１状態に手動操作されるときに実行される動作説明フローチャートである。(ｂ)は、第１状態から第２状態になるように手動操作されるときに実行される動作説明フローチャートである。
【図１１】(ａ)から(ｃ)は、アクチュエータ１０５をオン・オフを短時間行う小アクチュエータ１０５ａと、オン・オフを長時間間行う大アクチュエータ１０５ｂとから構成し、さらに制御部に接続されることで通電制御される電磁ソレノイド１４０を設け副筐体の外壁部２２を係止状態に維持する構成を図示した模式図である。
【図１２】(ａ)は、防水式デジタルビデオカメラを起立状態で使用する使用状態図、(ｂ)は把持して使用される使用状態図、(ｃ)は、液面Ｗ上に浮く状態の正面図、(ｄ)は、ストラップ３００が設けられる様子を図示した正面図である。
【符号の説明】
【００８４】
１  防水式デジタルカメラ
２  防水式主筐体
３  防水式副筐体
４  防水レンズ
６  回動蓋部材
７  第１接合面
８  第２接合面
１０  背面蓋部材
１２  沈胴レンズ鏡胴
１５  実装基板
２０  回動シール手段
２１  内壁部
２２  外壁部
２３  無端シール部材
１００  制御部
１０１  第１センサ
１０２  第２センサ
１０５  アクチュエータ
【図１】
0005064911.tif 000002
【図２】
0005064911.tif 000003
【図３】
0005064911.tif 000004
【図４】
0005064911.tif 000005
【図５】
0005064911.tif 000006
【図６】
0005064911.tif 000007
【図７】
0005064911.tif 000008
【図８】
0005064911.tif 000009
【図９】
0005064911.tif 000010
【図１０】
0005064911.tif 000011
【図１１】
0005064911.tif 000012
【図１２】
0005064911.tif 000013